(57)【要約】      （修正有）【課題】ユーザの聴覚習慣に応じて異なるカスタマイズＥＱカーブを更新して格納し、様々なスタイルの音楽を高度に再現するブルートゥースヘッドセットを提供する。【解決手段】ヘッドセットは、携帯端末と無線接続され、ヘッドセット本体と、ヘッドセット本体に設けられる電気回路ユニットとを備え、携帯端末にイコライザ調整モジュールが設けられ、電気回路ユニットが、ブルートゥース通信モジュールと、ブルートゥース通信モジュールと電気的に接続されるコミュニケーションモジュールと、コミュニケーションモジュールと電気的に接続されるデジタル信号処理モジュールと、を備える。ヘッドセットがコミュニケーションモジュールを介してイコライザ調整モジュールに接続され、イコライザ調整モジュールが、ヘッドセットの可聴音波を検出して聴力カーブを生成し、補償してカスタマイズＥＱカーブを生成し、ＥＱカーブをデジタル信号処理モジュールに送信し更新して格納する。【選択図】図１
0003223325.tif 000002
【実用新案登録請求の範囲】
【請求項１】
携帯端末と無線接続され、ヘッドセット本体と、ヘッドセット本体に設けられる電気回路ユニットとを備える、調整可能なカスタマイズＥＱカーブを有するブルートゥースヘッドセットであって、
前記携帯端末にイコライザ調整モジュールが設けられ、
前記電気回路ユニットが、ブルートゥース通信モジュールと、ブルートゥース通信モジュールと電気的に接続されるコミュニケーションモジュールと、前記コミュニケーションモジュールと電気的に接続されるデジタル信号処理モジュールとを備え、
前記ブルートゥースヘッドセットが前記コミュニケーションモジュールを介して前記イコライザ調整モジュールに接続され、前記イコライザ調整モジュールが、前記ブルートゥースヘッドセットの可聴音波を検出して聴力カーブを生成し、補償してカスタマイズＥＱカーブを生成し、前記カスタマイズＥＱカーブを前記デジタル信号処理モジュールに送信し更新して格納することを特徴とする調整可能なカスタマイズＥＱカーブを有するブルートゥースヘッドセット。
【請求項２】
前記イコライザ調整モジュールは、対象カーブを取得するための取得モジュールを備えることを特徴とする請求項１に記載の調整可能なカスタマイズＥＱカーブを有するブルートゥースヘッドセット。
【請求項３】
前記イコライザ調整モジュールは、前記ブルートゥースヘッドセットの可聴音波を検出して聴力カーブを生成する検出モジュールをさらに備えることを特徴とする請求項２に記載の調整可能なカスタマイズＥＱカーブを有するブルートゥースヘッドセット。
【請求項４】
前記イコライザ調整モジュールは、取得モジュール及び検出モジュールとそれぞれ電気的に接続される補償モジュールをさらに備え、前記補償モジュールが、前記聴力カーブと前記対象カーブとを照合し、カスタマイズＥＱカーブを生成し、前記聴力カーブを補償して聴力カーブを対象カーブに変換することを特徴とする請求項３に記載の調整可能なカスタマイズＥＱカーブを有するブルートゥースヘッドセット。  
【請求項５】
前記イコライザ調整モジュールは、オーディオ電気信号を生成して前記ブルートゥースヘッドセットに送信するオーディオ再生モジュールをさらに備えることを特徴とする請求項１に記載の調整可能なカスタマイズＥＱカーブを有するブルートゥースヘッドセット。
【請求項６】
前記電気回路ユニットは、前記オーディオ電気信号を可聴音波に変換する音響出力モジュールをさらに備えることを特徴とする請求項５に記載の調整可能なカスタマイズＥＱカーブを有するブルートゥースヘッドセット。
【考案の詳細な説明】
【技術分野】
【０００１】
本考案はヘッドセット技術分野に関し、特に調整可能なカスタマイズＥＱカーブを有するブルートゥースヘッドセットに関するものである。
【背景技術】
【０００２】
ＥＱ（イコライザ）調整は、オーディオ信号における異なる周波数成分を強調又は減衰させるなどの調整処理であり、ユーザの聴感上の好みに応じてオーディオ信号の音色を変えることにより、優れた音響効果を実現する方法の一つである。現在、ブルートゥースヘッドセットのＥＱ（イコライザ）調整は、通常、以下の２つの方法で行われ、第１の方法としては、ヘッドセットの調律師又は音響エンジニアが、ヘッドセットの音響特性に応じて、基準装置により専門的なＥＱカーブを与えるが、そのようなＥＱカーブの主観性が強いので、ユーザが調律師又は音響エンジニアの好みを受動的に受けなければならず、第２の方法としては、ヘッドセットには、ロックスタイルやボーカルスタイルなどの予め設定された異なるスタイルのＥＱカーブをセットすることで、ユーザの選択肢が多くなるが、予め設定されたＥＱカーブが音楽の一部にしか適用できないため、ロックスタイルを選択した場合に、柔らかい音楽を聴くと元の音楽の音響が変更してしまい、柔軟性に欠けている。
【０００３】
したがって、従来技術の改善が求められている。
【考案の概要】
【考案が解決しようとする課題】
【０００４】
本考案は、従来技術に存在する欠点を克服し、調整可能なカスタマイズＥＱカーブを有する、音響効果が優れて再現度が高いブルートゥースヘッドセットを提供することを目的とする。
【課題を解決するための手段】
【０００５】
上記目的を実現するために、本考案は次の技術的手段を採用する。
【０００６】
本考案は、携帯端末と無線接続され、ヘッドセット本体と、ヘッドセット本体に設けられる電気回路ユニットとを備える、調整可能なカスタマイズＥＱカーブを有するブルートゥースヘッドセットであって、
前記携帯端末にイコライザ調整モジュールが設けられ、
前記電気回路ユニットが、ブルートゥース通信モジュールと、ブルートゥース通信モジュールと電気的に接続されるコミュニケーションモジュールと、前記コミュニケーションモジュールと電気的に接続されるデジタル信号処理モジュールとを備え、
前記ブルートゥースヘッドセットが前記コミュニケーションモジュールを介して前記イコライザ調整モジュールに接続され、前記イコライザ調整モジュールが、前記ブルートゥースヘッドセットの可聴音波を検出して聴力カーブを生成し、補償してカスタマイズＥＱカーブを生成し、前記カスタマイズＥＱカーブを前記デジタル信号処理モジュールに送信し更新して格納する調整可能なカスタマイズＥＱカーブを有するブルートゥースヘッドセットを提供する。
【０００７】
前記イコライザ調整モジュールは、対象カーブを取得するための取得モジュールを備える。
【０００８】
前記イコライザ調整モジュールは、前記ブルートゥースヘッドセットの可聴音波を検出して聴力カーブを生成する検出モジュールをさらに備える。
【０００９】
前記イコライザ調整モジュールは、取得モジュール及び検出モジュールとそれぞれ電気的に接続される補償モジュールをさらに備え、前記補償モジュールが、前記聴力カーブと前記対象カーブとを照合し、カスタマイズＥＱカーブを生成し、前記聴力カーブを補償して聴力カーブを対象カーブに変換する。  
【００１０】
前記イコライザ調整モジュールは、オーディオ電気信号を生成して前記ブルートゥースヘッドセットに送信するオーディオ再生モジュールをさらに備える。
【００１１】
前記電気回路ユニットは、前記オーディオ電気信号を可聴音波に変換する音響出力モジュールをさらに備える。
【考案の効果】
【００１２】
本考案に係るブルートゥースヘッドセットは、イコライザ調整モジュールとともに用いることにより、ユーザの聴覚習慣に応じて異なるカスタマイズＥＱカーブを更新して格納し、様々なスタイルの音楽を高度に再現し、音響効果が優れており、ユーザエクスペリエンスが向上している。
【図面の簡単な説明】
【００１３】
【図１】本考案に係るブルートゥースヘッドセットとイコライザ調整モジュールとの接続概略図である。
【考案を実施するための形態】
【００１４】
以下、本考案の実施例の図面を参照しながら、本考案の実施例の技術的手段を明確かつ完全に説明する。ここで記載した具体的な実施例は、本考案を説明するためのものに過ぎず、本考案を限定するためのものではないことは明らかである。本考案の実施例に基づいて、当業者によって創造的努力なしに取得されるすべての他の実施例は、いずれも本考案の保護範囲に属するものである。
【００１５】
なお、本考案の実施例における全ての方向性指示（例えば、上、下、左、右、前、後など）は、図示するような特定の姿勢における各部材間の相対的な位置関係、移動状況などを説明するためのものであり、該特定の姿勢が変化すると、これに応じて該方向性指示も変化する。
【００１６】
本考案では、別途明確な規定と限定がない限り、用語「接続」、「固定」などは広義に理解されるべきである。例えば、「接続」は固定接続してもよく、取外可能に接続してもよく、又は一体的に接続してもよい。また、機械的に接続してもよく、電気的に接続してもよい。また、直接的に接続してもよく、中間部材を介して間接的に接続してもよく、二つの部材の内部の連通又は二つの部材の相互の作用関係であってもよい。当業者であれば、具体的な状況によって上記用語の本考案における具体的な意味を理解することができる。
【００１７】
また、本考案における「第一」、「第二」などの説明は、単に説明するためのものであり、相対的な重要性を指示又は暗示するもの、又は、示された技術的特徴の数を暗示するものではないと理解されるべきである。したがって、「第一」、「第二」によって限定されている特徴は、少なくとも１つの当該特徴を含むことを明示又は暗示することができる。
【００１８】
図１に示すように、本考案は、携帯端末と無線接続され、ヘッドセット本体と、ヘッドセット本体に設けられる電気回路ユニットとを備える、調整可能なカスタマイズＥＱカーブを有するブルートゥースヘッドセットであって、
前記携帯端末にイコライザ調整モジュールが設けられ、
前記電気回路ユニットが、ブルートゥース通信モジュールと、ブルートゥース通信モジュールと電気的に接続されるコミュニケーションモジュールと、前記コミュニケーションモジュールと電気的に接続されるデジタル信号処理モジュールとを備え、
前記ブルートゥースヘッドセットが前記コミュニケーションモジュールを介して前記イコライザ調整モジュールに接続され、前記イコライザ調整モジュールが、前記ブルートゥースヘッドセットの可聴音波を検出して聴力カーブを生成し、補償してカスタマイズＥＱカーブを生成し、前記カスタマイズＥＱカーブを前記デジタル信号処理モジュールに送信し更新して格納する調整可能なカスタマイズＥＱカーブを有するブルートゥースヘッドセットを提供する。
【００１９】
本考案に係るブルートゥースヘッドセットは、イコライザ調整モジュールとともに用いることにより、ユーザの聴覚習慣に応じて異なるカスタマイズＥＱカーブを更新して格納し、様々なスタイルの音楽を高度に再現し、音響効果が優れており、ユーザエクスペリエンスが向上している。
【００２０】
本実施形態では、前記ブルートゥースヘッドセットは、前記ブルートゥース通信モジュールを介して携帯端末と無線接続され、カスタマイズＥＱカーブが前記ブルートゥースヘッドセットにスムーズに送信されて、デジタル信号処理モジュールに更新、格納されるように、前記コミュニケーションモジュールを介して前記イコライザ調整モジュールと接続されなければならないので、ブルートゥースヘッドセットがユーザ専用のヘッドセットとなり、各ユーザが聞き取った音が一致となる。補償後の聴力カーブが直線に近いため、様々なスタイルの音楽を完璧に再現でき、音響効果が優れており、ユーザエクスペリエンスが向上している。
【００２１】
好ましくは、前記イコライザ調整モジュールは、対象カーブを取得するための取得モジュールを備える。
【００２２】
さらに、前記イコライザ調整モジュールは、前記ブルートゥースヘッドセットの可聴音波を検出して聴力カーブを生成する検出モジュールをさらに備え、前記検出モジュールが、異なる周波数の可聴音波を検出して、対応する聴力カーブを生成することができる。
【００２３】
一実施例として、前記イコライザ調整モジュールは、取得モジュール及び検出モジュールとそれぞれ電気的に接続される補償モジュールをさらに備え、前記補償モジュールが、前記聴力カーブと前記対象カーブとを照合し、カスタマイズＥＱカーブを生成し、前記聴力カーブを補償して聴力カーブを対象カーブに変換する。例えば、聴力カーブのあるデータが３８、対象カーブの対応するデータが６０である場合に、聴力カーブが対象カーブのデータ値６０となるように、補償モジュールが２２を自動的に補償する。補償後の聴力カーブが直線に近いため、ブルートゥースヘッドセットが様々なスタイルの音楽を完璧に再現することができる。
【００２４】
さらに、前記イコライザ調整モジュールは、オーディオ電気信号を生成して前記ブルートゥースヘッドセットに送信するオーディオ再生モジュールをさらに備える。前記オーディオ再生モジュールが異なる周波数のオーディオ電気信号を生成することができる。
【００２５】
好ましくは、前記電気回路ユニットは、前記オーディオ電気信号を可聴音波に変換する音響出力モジュールをさらに備える。
【００２６】
本考案の上記実施例は、本考案を明瞭に説明するための例示に過ぎず、本考案の実施形態を限定するものではない。当業者であれば、上記の説明をふまえて、さらに他の異なる形式の変化や変更を行うことができるが、ここではすべての実施形態を取り上げることはできない。しかし、本考案の技術的手段から得られる自明な変化や変更は、いずれも本考案の保護範囲に含まれるものである。
【図１】
0003223325.tif 000003
【手続補正書】
【提出日】令和1年8月5日(2019.8.5)
【手続補正１】
【補正対象書類名】実用新案登録請求の範囲
【補正対象項目名】全文
【補正方法】変更
【補正の内容】
【実用新案登録請求の範囲】
【請求項１】
携帯端末と無線接続され、ヘッドセット本体と、ヘッドセット本体に設けられる電気回路ユニットとを備える、調整可能なカスタマイズＥＱカーブを有するブルートゥース（登録商標）ヘッドセットであって、
前記携帯端末にイコライザ調整モジュールが設けられ、
前記電気回路ユニットが、ブルートゥース（登録商標）通信モジュールと、ブルートゥース（登録商標）通信モジュールと電気的に接続されるコミュニケーションモジュールと、前記コミュニケーションモジュールと電気的に接続されるデジタル信号処理モジュールとを備え、
前記ブルートゥース（登録商標）ヘッドセットが前記コミュニケーションモジュールを介して前記イコライザ調整モジュールに接続され、前記イコライザ調整モジュールが、前記ブルートゥース（登録商標）ヘッドセットの可聴音波を検出して聴力カーブを生成し、補償してカスタマイズＥＱカーブを生成し、前記カスタマイズＥＱカーブを前記デジタル信号処理モジュールに送信し更新して格納することを特徴とする調整可能なカスタマイズＥＱカーブを有するブルートゥース（登録商標）ヘッドセット。
【請求項２】
前記イコライザ調整モジュールは、対象カーブを取得するための取得モジュールを備えることを特徴とする請求項１に記載の調整可能なカスタマイズＥＱカーブを有するブルートゥース（登録商標）ヘッドセット。
【請求項３】
前記イコライザ調整モジュールは、前記ブルートゥース（登録商標）ヘッドセットの可聴音波を検出して聴力カーブを生成する検出モジュールをさらに備えることを特徴とする請求項２に記載の調整可能なカスタマイズＥＱカーブを有するブルートゥース（登録商標）ヘッドセット。
【請求項４】
前記イコライザ調整モジュールは、取得モジュール及び検出モジュールとそれぞれ電気的に接続される補償モジュールをさらに備え、前記補償モジュールが、前記聴力カーブと前記対象カーブとを照合し、カスタマイズＥＱカーブを生成し、前記聴力カーブを補償して聴力カーブを対象カーブに変換することを特徴とする請求項３に記載の調整可能なカスタマイズＥＱカーブを有するブルートゥース（登録商標）ヘッドセット。  
【請求項５】
前記イコライザ調整モジュールは、オーディオ電気信号を生成して前記ブルートゥース（登録商標）ヘッドセットに送信するオーディオ再生モジュールをさらに備えることを特徴とする請求項１に記載の調整可能なカスタマイズＥＱカーブを有するブルートゥース（登録商標）ヘッドセット。
【請求項６】
前記電気回路ユニットは、前記オーディオ電気信号を可聴音波に変換する音響出力モジュールをさらに備えることを特徴とする請求項５に記載の調整可能なカスタマイズＥＱカーブを有するブルートゥース（登録商標）ヘッドセット。